(57)【要約】  【課題】  着席時の不意な移動を抑制できる机を提案する。  【解決手段】  机１は、天板１１と、脚部１３Ｌおよび脚部１３Ｒと、幕板１５とを備えている。脚部１３Ｌは、前後に間隔を空けて配置された前脚２１Ｌおよび後脚２３Ｌと、前脚２１Ｌおよび後脚２３Ｌを連結する連結部２５Ｌとを備えている。脚部１３Ｒも同様である。前脚２１Ｌ，２１Ｒ（下柱２９Ｌ，２９Ｒ）の下端には、上下方向の回転軸を中心として旋回可能であり、回転方向を自在に変更できる自在型キャスタ３１が設けられている。後脚２３Ｌ，２３Ｒの下端には、左右方向に固定された回転軸を中心として回転する、回転方向が前後方向に固定された固定型キャスタ３５が設けられている。【選択図】図１
2014213088.tif 000002
【特許請求の範囲】
【請求項１】
天板を支持する脚部を備える机であって、
前記脚部は、
間隔を空けた２箇所に設けられる一組の移動脚と、
前記一組の移動脚を通過する直線と交差する交差方向に間隔を空けた位置であり、かつ、当該直線の方向に沿って間隔を空けた２箇所に設けられる一組の規制脚と、を有し、
前記移動脚は、上下方向の回転軸を中心として旋回可能である自在型キャスタが下端に設けられており、
前記規制脚は、着席位置側に配置されており、さらに、回転方向が前記交差方向に固定された固定型キャスタが下端に設けられている
ことを特徴とする机。
【請求項２】
前記規制脚は、上下方向に延びる棒状の形状であって、
前記規制脚の下端には、前記移動脚の位置する方向かつ下方に延びる屈曲部と、前記屈曲部の延びた先から前記移動脚の位置する方向に延びる延出部と、が設けられ、
当該机は、さらに、前記固定型キャスタの回転軸を支持する支持部を備え、
前記支持部は、前記延出部の下面および前記屈曲部の下面に接する
ことを特徴とする請求項１に記載の机。
【請求項３】
前記規制脚は、上下方向に延びる棒状の形状であって、
前記規制脚の下端には、前記移動脚の位置する方向かつ下方に延びる屈曲部と、前記屈曲部の延びた先から前記移動脚の位置する方向に延びる延出部と、が設けられ、
前記固定型キャスタは、その回転軸の少なくとも一部が前記屈曲部の下側の空間であって前記延出部の下端よりも上方に位置するように配置される
ことを特徴とする請求項１に記載の机。
【発明の詳細な説明】
【技術分野】
【０００１】
本発明は、天板を支持する脚部にキャスタを備える机に関する。
【背景技術】
【０００２】
従来、机の脚部に旋回可能なキャスタを備える机が用いられている。キャスタを備えることにより、机の移動を容易に行うことができる一方で、着席時に机が動いてしまう可能性がある。そこでキャスタにストッパを設け、ストッパを操作することでキャスタをロックして机の移動を制限するものがある（特許文献１参照）。また、天板を回動可能に構成し、天板を水平にしたときにはキャスタが床面から離れるようにリンク機構を設けた机もある（特許文献２参照）。
【先行技術文献】
【特許文献】
【０００３】
【特許文献１】特開平１０−７１０２３号公報
【特許文献２】特開１１−３１８５７２号公報
【発明の概要】
【発明が解決しようとする課題】
【０００４】
上記特許文献１，２の机では、机の移動の可否を切り替えるために、キャスタのロックを解除するためのストッパ自身や、脚端部とリンクが形成された天板を操作しなければならない。そのため、例えば少しだけ机を移動させたい場合などにストッパを操作する必要があり、また移動後にもストッパを操作してキャスタをロックさせる必要があり、これらの操作に手間が掛った。
【０００５】
本発明の目的は、着席時の不意な移動を抑制できる机を提案することである。
【課題を解決するための手段】
【０００６】
上述した問題を解決するためになされた請求項１に記載の発明は、天板を支持する脚部を備える机である。その脚部は、一組の移動脚と、一組の規制脚と、を有する。移動脚は間隔を空けた２箇所に設けられる。規制脚は一組の移動脚を通過する直線と交差する交差方向に間隔を空けた位置であり、かつ、当該直線の方向に沿って間隔を空けた２箇所に設けられる。
【０００７】
上述した移動脚は上下方向の回転軸を中心として旋回可能である自在型キャスタが下端に設けられている。また上述した規制脚は着席位置側に配置されており、さらに回転方向が交差方向に固定された固定型キャスタが下端に設けられている。
【０００８】
このように構成された机は、４つのキャスタにより上述した交差方向に移動できると共に、規制脚側を中心として移動脚側が上述した直線の方向（移動脚の並ぶ方向）に移動するように旋回移動できる。着席位置側に設けられた規制脚の固定型キャスタは回転方向が交差方向に固定されていることから、着席者が天板の着席位置側部分や規制脚に触れても、机が動く方向は交差方向に制限される。そのため、着席時に机が上述した直線の方向に不意に動いてしまうことを抑制できる。
【０００９】
また自在型キャスタは旋回することでその位置が机に対し相対的に移動するが、固定型キャスタは自在型キャスタのように位置が移動しない。そのため、床面との接触位置が前側に変化することがない。仮に接触位置が前側に移動すると、机の重心に対して机を支持する支点の位置が前方に移動することから机が後方に倒れ易くなる。着席者は机の着席位置側の端部に手などで荷重を掛ける場面が多いので、このように接触位置が移動する構成では机を転倒させてしまう虞があるが、本発明の机では支点の位置が変化しないため、そのような危険を低減できる。
【００１０】
請求項２に記載の机は、請求項１に記載の机において、規制脚が上下方向に延びる棒状の形状であって、規制脚の下端には、移動脚の位置する方向かつ下方に延びる屈曲部と、屈曲部の延びた先から移動脚の位置する方向に延びる延出部と、が設けられており、さらに、固定型キャスタの回転軸を支持する支持部を備え、支持部が延出部の下面および屈曲部の下面に接することを特徴とする。
【００１１】
このように構成された支持部は、角度の異なる延出部と屈曲部の下面それぞれに接していることから、天板や脚部を押された場合などの外部から荷重を受けたときに位置がずれにくく都合がよい。なお延出部および屈曲部に対して支持部が係止したり挟み込んだりするように構成されていると位置ずれをより高度に抑制することができる。
【００１２】
請求項３に記載の机は、請求項１に記載の机において、規制脚が上下方向に延びる棒状の形状であって、規制脚の下端には、移動脚の位置する方向かつ下方に延びる屈曲部と、屈曲部の延びた先から移動脚の位置する方向に延びる延出部と、が設けられており、また、固定型キャスタがその回転軸の少なくとも一部が屈曲部の下側の空間であって延出部の下端よりも上方に位置するように配置されることを特徴とする。
【００１３】
このような机は、屈曲部の下側の空間に固定型キャスタの回転軸を配置できるため、固定型キャスタを取り付ける際に脚部に大きな凹部を形成する必要がなくなる。
従来、床面に沿って延びる脚部を有する脚において、固定型キャスタをその下端に配置しようとすると、脚部に凹部や切欠きを設けるなどして固定型キャスタを埋め込まなければ脚部が床面から大きく浮き上がることになってしまい、着席者の快適性および美観という面で好ましくなかった。そのため凹部や切欠きを設けてその内部にキャスタを配置していたが、その場合には製造コストが増大すると共に脚部の強度が低下するため好ましくない場合があった。
【００１４】
しかしながら上記机では大きな凹部を設けることなく固定型キャスタの回転軸を配置できるため、延出部の浮き上がりを抑制しつつ、脚部の強度の低下や製造コストの増大などの問題が生じることを抑制できる。
【００１５】
また上記机では、単純に延出部の下に固定型キャスタを取り付ける場合と比較して、固定型キャスタが延出部から下方に突出する長さも低減できる。そのため、机をスタッキング可能に構成する場合において、固定型キャスタが下方に突出することの影響を小さくして、上下方向のピッチを小さくできる。
【００１６】
規制脚は、例えば金属パイプで形成できる。その際、屈曲部と延出部は金属パイプを折り曲げて形成してもよいし、複数の金属パイプを溶接して形成してもよい。
【図面の簡単な説明】
【００１７】
【図１】実施例の机を示す斜視図である。
【図２】実施例の机を示す図であって、（Ａ）が正面図であり、（Ｂ）が右側面図であり、（Ｃ）が左側面図であり、（Ｄ）が背面図であり、（Ｅ）が平面図であり、（Ｆ）が底面図である。
【図３】脚部の下方の拡大図であって、（Ａ）が右側面図であり、（Ｂ）が正面図であり、（Ｃ），（Ｄ）が左側面図である。
【図４】（Ａ）が脚部の下方を拡大した右側面図であり、（Ｂ）が図４（Ａ）のＢ−Ｂ断面図であり、（Ｃ）が図２（Ａ）のＡ−Ａ断面図のうち後脚下端を示す図である。
【図５】支持部を示す図であって、（Ａ）が右側面図であり、（Ｂ）が背面図であり、（Ｃ）が正面図であり、（Ｄ）が平面図であり、（Ｅ）が底面図である。
【図６】机の積み重ねを説明する図であって、（Ａ）が一部を省略および透視した平面図であり、（Ｂ）が図６（Ｃ）の下側の机に対するＤ−Ｄ断面図であり、（Ｃ）が図６（Ａ）のＣ−Ｃ断面図である。
【図７】机の連結を説明する、一部を省略および透視した平面図である。
【発明を実施するための形態】
【００１８】
以下に本発明の実施形態を図面と共に説明する。
［実施例］
（１）全体構成
本実施例の机１は、図１および図２（Ａ）〜図２（Ｆ）に示すように、天板１１と、左右それぞれにて天板１１を支持する一対の脚部１３Ｌおよび脚部１３Ｒと、天板１１の前側に垂下状に設けられる幕板１５とを備えている。
【００１９】
なお本実施例の机は使用者の着席位置が想定されるものであって天板１１の後方が着席側となる。左右方向は、使用者が机１に向かって着席した状態で使用者を基準とした左右の方向となる。そのため、図２（Ｂ）の右側面図には机１の左側が示され、図２（Ｃ）の左側面図には机１の右側が示されている。
【００２０】
天板１１は、前後方向および左右方向に広がる略矩形形状であって、角部分に丸みを有する板状の部材である。
脚部１３Ｌおよび脚部１３Ｒは、外観が棒状の金属パイプを屈曲および溶接して形成されている。脚部１３Ｌおよび脚部１３Ｒは左右対称に近い形状となっているが、一部の形状が相違している。そこで、まず脚部１３Ｌについて説明し、脚部１３Ｒについては脚部１３Ｌと相違する箇所を説明する。
【００２１】
脚部１３Ｌは、前後に間隔を空けて配置された前脚２１Ｌおよび後脚２３Ｌと、前脚２１Ｌおよび後脚２３Ｌを連結する連結部２５Ｌとを備えている。
前脚２１Ｌは、下端が連結部２５Ｌと連結する上柱２７Ｌと、上柱２７Ｌと隣接して配置される下柱２９Ｌと、を溶接して形成されている。上柱２７Ｌと下柱２９Ｌはいずれも上下方向に延びており、下柱２９Ｌが上柱２７Ｌの右側に並ぶように連接される。
【００２２】
前脚２１Ｌ（下柱２９Ｌ）の下端には、上下方向の回転軸を中心として旋回可能であり、回転方向を自在に変更できる自在型キャスタ３１が設けられている。
後脚２３Ｌの下端には、左右方向に固定された回転軸を中心として回転する、回転方向が前後方向に固定された固定型キャスタ３５が設けられている。
【００２３】
脚部１３Ｒは、前脚２１Ｒ，後脚２３Ｒ，連結部２５Ｒ，上柱２７Ｒ，下柱２９Ｒを備えており、配置および構成は基本的には脚部１３Ｌの前脚２１Ｌ，後脚２３Ｌ，連結部２５Ｌ，上柱２７Ｌ，下柱２９Ｌと同じである。
【００２４】
前脚２１Ｌと前脚２１Ｒとは間隔を空けた２箇所に配置される。また後脚２３Ｌと後脚２３Ｒとは間隔を空けた２箇所に配置される。後脚２３Ｒは、後脚２３Ｌと比べて上方が前方に傾斜している。また連結部２５Ｒの形状は連結部２５Ｌと若干相違するが、詳細は後述する。
【００２５】
左右一対の脚部１３Ｌ，１３Ｒの間には、上柱２７Ｌ，２７Ｒ同士を連結する上脚連結杆３９（図２（Ｄ）参照）と、下柱２９Ｌ，２９Ｒの上端部同士を連結する下脚連結杆４１とが設けられている。下脚連結杆４１は下柱２９Ｌ，２９Ｒと一体に形成されている。
【００２６】
前脚２１Ｌの上端と前脚２１Ｒの上端は、第１横設部４５（図６（Ａ），図６（Ｃ）参照）によって連結されている。また後脚２３Ｌの上端および後脚２３Ｒの上端は、第２横設部４７によって連結されている。天板１１は、これら第１横設部４５および第２横設部４７により支持される。
【００２７】
なお図２（Ａ）〜図２（Ｆ）などに示すように、前脚２１Ｌ，２１Ｒはいずれも天板１１の下側の空間に設けられており、後脚２３Ｌ，２３Ｒはいずれも天板１１の下側の空間から左右方向の外側に外れた位置に設けられている。
【００２８】
幕板１５は、天板１１の前端部において、幕板１５の主たる面と天板１１の前端とがほぼ揃うように配置されている。また幕板１５は、天板１１の下面との間隔を小さくして、実質的に指などを挿入できる高さの隙間が天板１１と幕板１５との間に生じないように配置されている。
【００２９】
幕板１５の左右中央の上部には手掛け部５１が設けられている。この手掛け部５１に指などを引っ掛けて机１の前側に荷重を掛けて机を持ち運ぶことができる。
（２）脚部下端の構成
まず、脚部１３Ｌ，１３Ｒの各連結部から各前脚までの構成を図３（Ａ）〜図３（Ｄ）に基づいて説明する。
【００３０】
脚部１３Ｌの連結部２５Ｌは、図３（Ａ），（Ｂ）に示すように、後脚２３Ｌから前脚２１Ｌ側に向けて床面に沿って延びる第１部分６１Ｌと、第１部分６１Ｌの延び出した先端から屈曲して前方かつ上方かつ右方に延び出し、前脚２１Ｌ（上柱２７Ｌ）と第１部分６１Ｌとを接続する第２部分６３Ｌと、を有する。
【００３１】
第２部分６３Ｌは、自在型キャスタ３１が存在し得る存在領域６５の外側を通過して、前脚２１Ｌと第１部分６１Ｌの延び出した先端とを接続している。自在型キャスタ３１は上下方向の回転軸を中心として旋回可能であるから、自在型キャスタ３１が存在し得る存在領域６５とは自在型キャスタ３１が旋回したときに位置し得る領域となる。
【００３２】
なお自在型キャスタ３１の旋回回転軸は、前脚２１Ｌ（下柱２９Ｌ）および前脚２１Ｒ（下柱２９Ｒ）の中心軸と同一の直線上に配置されている。
脚部１３Ｒの連結部２５Ｒも、図３（Ｃ）に示すように、連結部２５Ｌと同様に第１部分６１Ｒと第２部分６３Ｒとを備えており、第２部分６３Ｒが存在領域６５の外側を通過する。しかしながら図３（Ｄ）に示すように、第２部分６３Ｒは第２部分６３Ｌよりも左右方向から見て上方に位置している。また第２部分６３Ｌと比較して、第１部分６１Ｒと接続する屈曲位置が後方であり、上柱２７Ｒと接続する屈曲位置が上方である。
【００３３】
次に、脚部１３Ｌ，１３Ｒにおける連結部から後脚における構成を図４（Ａ）〜図４（Ｃ）に基づいて説明する。なおこの部分の形状は後脚２３Ｒが若干前傾している点以外は左右対称であるため、脚部１３Ｌについてのみ説明する。
【００３４】
図４（Ａ）に示すように後脚２３Ｌは上下方向に延びている。この後脚２３Ｌの下端は、前方かつ下方に延びる屈曲部３３として形成されており、この屈曲部３３の延びた先から上述した連結部２５Ｌの第１部分６１Ｌが前脚２１Ｌの位置する方向に延びている。
【００３５】
固定型キャスタ３５における左右方向に延びる回転軸３５ａは、その中心３５ｂが屈曲部３３の下側の空間であって第１部分６１Ｌの下端よりも上方の領域３３ａに位置するように配置されている。
【００３６】
また、固定型キャスタ３５の回転軸３５ａを支持する支持部３７は、図５（Ａ）〜図５（Ｅ）に示すように、第１部分６１Ｌの下面と接触する第１領域３７ａと、屈曲部３３の下面と接触する第２領域３７ｂと、を有している。なお図５（Ａ）〜図５（Ｅ）では構成の一部を透過した図面にて示している。
【００３７】
第１領域３７ａおよび第２領域３７ｂは、図４（Ｂ），図４（Ｃ）に示すように、金属パイプからなる連結部２５Ｌ（第１部分６１Ｌ）および屈曲部３３に密着できるように、金属パイプ表面の曲面に合わせた曲面状であって、金属パイプを挟み込むような形状に形成されている。支持部３７は下方からネジ止めにより連結部２５Ｌに固定される。なお図４（Ｂ），図４（Ｃ）では理解を容易にするために金属パイプ部分を充填形状としているが、実際は中空形状である。
【００３８】
なお第１部分６１Ｌおよび第１部分６１Ｒは、上述したように床面に沿って延びているが、その主たる部分の上端、即ち金属パイプの側面のうち上側に位置する部分は、自在型キャスタ３１の車輪の上端および固定型キャスタ３５の車輪の上端よりもその位置が低くなるように床面に接近させて配置される。
【００３９】
本実施例の支持部３７は、車輪を取り付けない場合には一般的な脚端として機能する。よって、不要である場合は車輪を取り外して用いることができる。
（３）机のスタッキングおよびギャンギング機能
机１は、スタッキングが可能である。２台の机をスタッキングした状態を図６（Ａ），図６（Ｃ）に示す。また机１の天板１１の下方を示す図を図６（Ｂ）に示す。なお、理解を容易にするために一部の構成を省略している。
【００４０】
机１は、図６（Ｂ）に示すように、上面視で天板１１よりも左右方向外側に後脚２３Ｌ，２３Ｒが配置されているため、天板１１が重なるようにして複数積み重ねて収納することが可能である。なお前脚２１Ｌ，２１Ｒは天板１１の下方に配置されているが、その位置が天板１１の前端近傍であるため、積み重ねる際に上下の机１の天板１１同士をずらす幅に与える影響は小さい。
【００４１】
なおこのように積み重ねて収納した状態において、図６（Ｃ）に示すように、２台の机１における連結部２５Ｒ同士の間には上下方向の間隔が形成される。固定型キャスタ３５は、同図および図４（Ａ）に示すように、この間隔に収まるように構成されている。
【００４２】
また机１は、左右にギャンギングし、天板１１を接することが可能である。２台の机１をギャンギングした状態を図７に示す。なお、理解を容易にするために一部の構成を省略している。
【００４３】
上述したように机１は上面視で天板１１よりも左右方向外側に後脚２３Ｌ，２３Ｒが配置されているが、天板１１を左右方向に隣接して並べても後脚２３Ｌと後脚２３Ｒとは接触しない。
【００４４】
２台の机１の連結箇所を見ると、第２横設部４７の左端部側は後方に屈曲しており、その左端部から後脚２３Ｌが垂直に下に延びている。一方、第２横設部４７の右端部側は屈曲しておらず、その右端部から後脚２３Ｒが後方に傾斜して下に延びている。その結果、左側の机１の後脚２３Ｒが右側の机１における第２横設部４７の下をくぐるような位置関係となり、各脚部の接触が回避される。
【００４５】
また上述したように第２部分６３Ｒは第２部分６３Ｌよりも左右方向から見て上方に位置しているため、第２部分６３Ｒが第２部分６３Ｌの上を通過する位置関係となり、これらの接触も回避される。
【００４６】
このように本実施例の机１は、ギャンギングとスタッキングを同時に達成できる。
（４）効果
本実施例の机１は、前後方向については自由に移動できるが、左右方向については固定型キャスタ３５の回転方向が前後方向に固定されていることからその移動が制限される。例えば天板１１の前方に左右方向の荷重を加えると、比較的小さい力であっても机１は固定型キャスタ３５側が中心となって旋回するが、天板１１の後方に左右方向の荷重を加えた場合は小さな力では移動しにくい。
【００４７】
従って、本実施例の机１は着席者が机１の後方（着席位置側）に触れても左右方向には移動しにくく、着席時に左右方向に机が不意に移動してしまうことを抑制できる。
また固定型キャスタ３５は、自在型キャスタ３１のように机１における相対的な位置が移動しないため、仮に後脚に自在型キャスタ３１を取り付けた場合のように、床面との接触位置が前側に変化してしまうことにより天板１１の後方に荷重を掛けたときに後方に倒れ易くなることや、自在型キャスタ３１が左右方向内側を向くことで着席者の足や椅子の脚などに接触しやすくなり快適性を損なうことを抑制できる。
【００４８】
また本実施例の机１は、屈曲部３３の下側の空間に固定型キャスタ３５の回転軸３５ａを配置できるため、連結部２５Ｌ，２５Ｒの浮き上がりを抑制して固定型キャスタ３５を取り付けるために連結部２５Ｌ，２５Ｒに大きな凹部を形成する必要がなくなり、連結部２５Ｌ，２５Ｒの浮き上がりを抑制しつつ、脚部の強度の低下や製造コストの増大などの問題が生じることを抑制できる。
【００４９】
また、固定型キャスタ３５が連結部２５Ｌ，２５Ｒから下方に突出する長さも低減できる。そのため、机１をスタッキングさせた際に固定型キャスタ３５が連結部同士の間隔に配置することができ、上下方向のピッチが大きくならず都合がよい。
【００５０】
また支持部３７は、互いに異なる角度で延びる連結部２５Ｌと屈曲部３３の両方の下面に接しており、さらにそれらの表面形状に合わせて曲面状に形成されてそれらを挟み込むような形状となっていることから、連結部２５Ｌおよび屈曲部３３に対する位置ずれ、特に金属パイプの円周方向への位置ずれを高度に抑制することができる。
【００５１】
なお、前脚２１Ｌ，２１Ｒが本発明における一組の移動脚の一例であり、後脚２３Ｌ，２３Ｒが本発明における一組の規制脚の一例であり、第１部分６１Ｌ，６１Ｒが本発明における延出部の一例である。また、前後方向が本発明における交差方向の一例であり、左右方向が本発明における直線の方向の一例である。
【００５２】
［変形例］
以上本発明の実施例について説明したが、本発明は、上記実施例に何ら限定されることはなく、本発明の技術的範囲に属する限り種々の形態をとり得ることはいうまでもない。
【００５３】
例えば、上記実施例においては、円筒状の金属パイプを用いて脚部を脚部１３Ｌ，１３Ｒを形成する構成を例示したが、上記以外の形状および材質の材料で形成されていてもよい。なお金属パイプを用いた場合には折り曲げによって屈曲部３３を形成することができるが、溶接等により接合されていてもよい。
【００５４】
また上記実施例においては、固定型キャスタ３５の回転軸３５ａの中心３５ｂが領域３３ａに位置する構成を例示したが、回転軸３５ａの少なくとも一部が上記領域３３ａに位置していれば、回転軸３５ａを配置するために連結部２５Ｌ，２５Ｒに大きな凹部を形成することを抑制しつつ、連結部２５Ｌ，２５Ｒの浮き上がりを抑制することができる。
【符号の説明】
【００５５】
１…机、１１…天板、１３Ｌ，１３Ｒ…脚部、１５…幕板、２１Ｌ，２１Ｒ…前脚、２３Ｌ，２３Ｒ…後脚、２５Ｌ，２５Ｒ…連結部、２７Ｌ，２７Ｒ…上柱、２９Ｌ，２９Ｒ…下柱、３１…自在型キャスタ、３３…屈曲部、３３ａ…領域、３５…固定型キャスタ、３５ａ…回転軸、３５ｂ…中心、３７…支持部、３７ａ…第１領域、３７ｂ…第２領域、３９…上脚連結杆、４１…下脚連結杆、４５…第１横設部、４７…第２横設部、５１…手掛け部、６１Ｌ，６１Ｒ…第１部分、６５…存在領域。
【図１】
2014213088.tif 000003
【図２】
2014213088.tif 000004
【図３】
2014213088.tif 000005
【図４】
2014213088.tif 000006
【図５】
2014213088.tif 000007
【図６】
2014213088.tif 000008
【図７】
2014213088.tif 000009